(57)【要約】【課題】作業性よく製造できるとともに、構成部分の一部が傷ついても、容易に取り替えられ、簡単に補修できるカウンターの構造を提供する。【解決手段】カウンターの表面材７と裏面材８と、その間に介装され両者を結合させる固定手段と、前板５と後板６とからなる構造であって、該固定手段はカウンターの前端部と後端部の長さ方向に対設され、上下に分割されるとともに、前端部固定手段１の上部材１ａと下部材１ｂにはそれぞれ前板５を保持する前板保持部１１が、後端部固定手段２の上部材２ａと下部材２ｂにはそれぞれ後板６を保持する後板保持部２１が付設されたカウンターの構造。【選択図】図２
2005253869.tif 000002
【特許請求の範囲】
【請求項１】
カウンターの表面材と裏面材と、その間に介装され両者を結合させる固定手段と、前板と後板とからなる構造であって、該固定手段はカウンターの前端部と後端部の長さ方向に対設され、上下に分割されるとともに、前端部固定手段の上部材と下部材にはそれぞれ前板を保持する前板保持部が、後端部固定手段の上部材と下部材にはそれぞれ後板を保持する後板保持部が付設されたカウンターの構造。
【請求項２】
上記前板保持部が前端部固定手段の上部材と下部材のそれぞれ外側に付設され、対となって前板を挟持する挟持片からなり、上記後板保持部が後端部固定手段の上部材と下部材のそれぞれ外側に付設され、対となって後板を挟持する挟持片からなる請求項１に記載のカウンターの構造。
【請求項３】
上記前端部固定手段と後端部固定手段の上部材と下部材とには、各々凹凸嵌合する嵌合凹部と嵌合凸部とが設けられている請求項１に記載のカウンターの構造。
【請求項４】
上記前端部固定手段と後端部固定手段の上部材と下部材とは、各々接着剤により接着される請求項１に記載のカウンターの構造。
【請求項５】
上記前端部固定手段と後端部固定手段の上部材と下部材とは、各々固定用ビスにより固定される請求項１に記載のカウンターの構造。
【発明の詳細な説明】
【技術分野】
【０００１】
本発明は、カウンターの構造に関する。さらに詳しくは、例えば、キッチンのシンクの横に設置するキッチンカウンターの構造に関する。
【背景技術】
【０００２】
例えば、従来公知のカウンターの構造の一例としては、下記特許文献に記載のように、人造大理石製のカウンター板の裏面にパーティクルボード製の裏板を積層してカウンターを構成し、キャビネットの上に配置するキッチンカウンターが知られている。下記文献、第１図に示されているように、該キッチンカウンターにおいては、カウンターの前方には前垂れが、壁に接して配置される背側にはバックガードが設けられており、これらが一体的に形成されている。
【特許文献１】特開平１１−３２８５１号公報（第１−３頁、第１図）
【発明の開示】
【発明が解決しようとする課題】
【０００３】
上記、前垂れとバックガードは、通常、カウンターに接着されて一体化されているため、接着剤の塗布作業や養生が必要であり、カウンター製造の際の作業性が悪いという問題がある。さらに、例えば、前垂れのみが傷ついてもカウンター全体を交換しなければならず、補修のためのコストがかかるという問題がある。本発明は、このような問題を解決して、作業性よく製造できるとともに、例えば、前垂れのような構成部分の一部が傷ついても、容易に取り替えられ、簡単に補修のできるカウンターの構造を提供することを、その課題とする。
【課題を解決するための手段】
【０００４】
上記課題を解決するために、本発明においては、つぎのような技術的手段を講じている。すなわち、本発明によれば、カウンターの表面材と裏面材と、その間に介装され両者を結合させる固定手段と、前板と後板とからなる構造であって、該固定手段はカウンターの前端部と後端部の長さ方向に対設され、上下に分割されるとともに、前端部固定手段の上部材と下部材にはそれぞれ前板を保持する前板保持部が、後端部固定手段の上部材と下部材にはそれぞれ後板を保持する後板保持部が付設されたカウンターの構造が提供される。
【０００５】
カウンターの表面材としては、人造大理石、集成材、メラミン化粧板等が用いられ、裏面材としては、人造大理石、パーティクルボード、ＭＤＦ（中密度繊維板）、合板等が用いられる。また、前板および後板としては、人造大理石、集成材等が用いられる。
【０００６】
上記前板保持部は前端部固定手段の上部材と下部材のそれぞれ外側に付設され、対となって前板を挟持する挟持片からなり、上記後板保持部は後端部固定手段の上部材と下部材のそれぞれ外側に付設され、対となって後板を挟持する挟持片からなることが好ましい。通常、上記挟持片は側断面Ｌ字型とされる。上記前端部固定手段と後端部固定手段の上部材と下部材とは、アルミニウム、鉄、ステンレススチール等の金属から一体的に形成されるとともに、各々凹凸嵌合により弾性係止されることが好ましい。
【０００７】
上記前端部固定手段と後端部固定手段の上部材と下部材とは、各々接着剤により接着されることが好ましい。また、上記前端部固定手段と後端部固定手段の上部材と下部材とは、各々固定用ビスにより固定されることが好ましい。
【発明の効果】
【０００８】
請求項１に記載の発明は上記のとおりであり、カウンターの表面材と裏面材の間の前端部と後端部の長さ方向に対設されるとともに、上部材と下部材とに分割された固定手段を結合することにより、簡単に、作業性よく、カウンターを製造することができる。さらに、上記表面材と裏面材とを同一部材とすることにより、両者をリバージブルとすることができる。
【０００９】
上記前板保持部を上下一対となって前板を挟持する挟持片から構成し、上記後板保持部を上下一対となって後板を挟持する挟持片から構成することにより、上下に分割された固定手段を結合してカウンターの表面材と裏面材と固定すると同時に、前板および後板を上記各一対の挟持片によってしっかりと挟持し、カウンターを形成することができる。
【００１０】
上記前端部固定手段と後端部固定手段の上部材と下部材とを、各々凹凸嵌合により弾性係止することにより、着脱自在とされ、簡単に作業性よく、カウンターを製造できるとともに、その構成部分の一部が傷ついても、容易に取り替えられ、簡単に補修することができる。
【００１１】
上記前端部固定手段と後端部固定手段の上部材と下部材とを、各々接着剤により接着することにより、カウンターの表面材と裏面材とをしっかりと結合できるとともに、前板および後板を上記挟持片によって挟持することができ、カウンターの見栄えをよくしてデザイン性を向上させることが可能となる。また、上記前端部固定手段と後端部固定手段の上部材と下部材とを、各々固定用ビスにより固定することにより、カウンターの表面材と裏面材とをしっかりと結合できるとともに、前板および後板を意匠性よく、上記挟持片によって挟持することができる。
【発明を実施するための最良の形態】
【００１２】
以下、本発明の実施形態について図面を参照して、詳細に説明する。図１は、本発明の第一実施形態にかかるカウンターの構造Ａを示す説明図である。図１において、カウンターの表面材７と裏面材８とは人造大理石から構成されるとともに、両者間の前端部の長さ方向には前端部固定手段１が延設され、上部材１ａと下部材１ｂとに分割されている。同様に、後端部の長さ方向には後端部固定手段２が延設され、上部材２ａと下部材２ｂとに分割されている。
【００１３】
また、上記カウンターの手前側に配設された前端部固定手段１の上部材１ａと下部材１ｂとの外側にはそれぞれ前板５を挟持する上部挟持片１１ａと下部挟持片１１ｂとが付設されており、両者で前板保持部１１を構成する。同様に、カウンターの後ろ側に配設された後端部固定手段２の上部材２ａと下部材２ｂとの外側にもそれぞれ後板６を保持する上部挟持片２１ａと下部挟持片２１ｂとが付設されており、両者で後板保持部２１を構成する。
【００１４】
図１から明らかなように、前端部固定手段１の上部材１ａには嵌合凹部１２ａが設けられ、この嵌合凹部１２ａが前端部固定手段１の下部材１ｂに設けられた嵌合凸部１２ｂと嵌合することにより、上記上部材１ａと下部材１ｂとが弾性係止し、同様に、後端部固定手段２の上部材２ａと下部材２ｂとは、嵌合凸部２２ａと嵌合凹部２２ｂとが嵌合することにより弾性係止する。このようにして表面板７と裏面板８とを着脱自在に弾性係止することができる。
【００１５】
前板５は、上記したように、上下一対となって前板５を挟持する上部挟持片１１ａと下部挟持片１１ｂとからなる前板保持部１１によって挟持され、後板６は、上下一対となって後板６を挟持する上部挟持片２１ａと下部挟持片２１ｂとからなる後板保持部２１によって挟持されるため、このようにして、カウンターの前部と後部に装着された前板５と後板６により見栄えがよくなり、第一実施形態にかかるカウンターの構造Ａのデザイン性を向上させる。
【００１６】
図１に示す構成においては、表面材７と裏面材８とは人造大理石とされ、また、前端部固定手段１と後端部固定手段２とは、図１に示すように上下に分割されているため、表面材７と裏面材８とは互換性があり、表面材７と裏面材８とを区別することなく使用することができる。図２は、このようにして形成された第一実施形態にかかるカウンターの構造を示す部分透視斜視図である。
【００１７】
図３（ａ）は、本発明の第二実施形態にかかるカウンターの構造Ｂを示す説明図である。図３（ａ）において、カウンターの表面材７は集成材からなり、裏面材８は、パーティクルボードからなるとともに、両者間の前端部の長さ方向には前端部固定手段３が延設され、上部材３ａと下部材３ｂとに分割されている。同様に、後端部の長さ方向に後端部固定手段４が延設され、上部材４ａと下部材４ｂとに分割されている。前板５は、上記したように、前端部固定手段３の上部材３ａと下部材３ｂとのそれぞれ外側に付設され、上下一対となって前板５を挟持する上部挟持片３１ａと下部挟持片３１ｂとからなる前板保持部３１によって挟持され、後板６は、後端部固定手段４の上部材４ａと下部材４ｂとのそれぞれ外側に付設され、上下一対となって後板を挟持する上部挟持片４１ａと下部挟持片４１ｂとからなる後板保持部４１によって挟持される。
【００１８】
上記実施形態においては、前端部固定手段３の上部材３ａと下部材３ｂとの当接面がフラットであるため、接着剤で接着、固定してカウンターを形成するとともに、上記前板保持部３１によって前板５を、後板保持部４１によって後板６を挟持し、保持する。このようにして形成されたカウンターの構造Ｂを図３（ｂ）に示す。図３（ｂ）において、符号Ｓは接着剤層を示す。
【００１９】
図４は、第二実施形態にかかるカウンターの構造Ｂの変形例Ｂ２を示す説明図であり、表面材７の裏面前後両端部に前板５と後板６とを挟持するための凹溝を穿ち、それぞれ、図３（ａ）に示す前板上部挟持片３１ａに替えて前板上部挟持溝７１が、また、後板上部挟持片４１ａに替えて後板上部挟持溝７２が設けられている。
【００２０】
図５は、本発明の第三実施形態にかかるカウンターの構造Ｃを示す説明図であり、本実施形態においては、カウンターの表面材７は人造大理石からなり、裏面材８は、パーティクルボードからなっている。第三実施形態においては、第二実施形態において用いられた接着剤に替えて固定用ビスＦを螺入し、前端部固定手段３の上部材３ａと下部材３ｂおよび後端部固定手段４の上部材４ａと下部材４ｂとをねじ固定する。
【００２１】
図６は、本発明の第四実施形態にかかるカウンターの構造Ｄを対面式キッチンユニットに適用した例を示す説明図である。本実施形態においては、カウンターの表面材７はメラミン化粧板からなり、裏面材８はパーティクルボードからなっている。図６からよくわかるように、前端部固定手段３の上部材３ａおよび後端部固定手段４の上部材４ａには、それぞれ固定用ビスＫが螺入する前端部ビス孔３２ａおよび後端部ビス孔４２ａが設けられており、固定用ビスＫを締結することにより、表面材７と裏面材８とはしっかりと固定される。かくして形成された第四実施形態にかかるカウンターの構造Ｄは、上記ユニットのキャビネット９に桟木９１、９１を介してビス留めされ、カウンター部分を意匠性よく構成することができる。
【図面の簡単な説明】
【００２２】
【図１】本発明の第一実施形態にかかるカウンターの構造の構成部材を示す説明図である。
【図２】本発明の第一実施形態にかかるカウンターの構造を示す部分透視斜視図である。
【図３】（ａ）本発明の第二実施形態にかかるカウンターの構造の構成部材を示す説明図である。（ｂ）本発明の第二実施形態にかかるカウンターの構造を示す説明図である。
【図４】本発明の第二実施形態にかかるカウンターの構造の変形例を示す説明図である。
【図５】本発明の第三実施形態にかかるカウンターの構造を示す説明図である。
【図６】本発明の第四実施形態にかかるカウンターの構造を対面式キッチンユニットに適用した例を示す説明図である。
【符号の説明】
【００２３】
Ａ          第一実施形態にかかるカウンターの構造
１          前端部固定手段
１ａ        上部材
１ｂ        下部材
１１        前板保持部
１１ａ      前板上部挟持片
１１ｂ      前板下部挟持片
１２ａ      嵌合凹部
１２ｂ      嵌合凸部
２          後端部固定手段
２ａ        上部材
２ｂ        下部材
２１        後板保持部
２１ａ      後板上部挟持片
２１ｂ      後板下部挟持片
２２ａ      嵌合凸部
２２ｂ      嵌合凹部
Ｂ          第二実施形態にかかるカウンターの構造
３          前端部固定手段
３ａ        上部材
３ｂ        下部材
３１        前板保持部
３１ａ      前板上部挟持片
３１ｂ      前板下部挟持片
４          後端部固定手段
４ａ        上部材
４ｂ        下部材
４１        後板保持部
４１ａ      後板上部挟持片
４１ｂ      後板下部挟持片
５          前板
６          後板
Ｓ          接着剤層
Ｂ２        第二実施形態にかかるカウンターの構造の変形例
７１        前板上部挟持溝
７２        後板上部挟持溝
Ｃ          第三実施形態にかかるカウンターの構造
Ｆ          固定用ビス
Ｄ          第四実施形態にかかるカウンターの構造
３２ａ      前端部ビス孔
４２ａ      後端部ビス孔
Ｋ          固定用ビス
７          カウンター表面材
８          カウンター裏面材
９          対面式キッチンキャビネット
９１        桟木
【図１】
2005253869.tif 000003
【図２】
2005253869.tif 000004
【図３】
2005253869.tif 000005
【図４】
2005253869.tif 000006
【図５】
2005253869.tif 000007
【図６】
2005253869.tif 000008